(57)【要約】【課題】録画データの中から所望のデータが記録された位置を簡単に取得して再生する。【解決手段】楽曲情報取得部２０３は受信部２０１が受信したテレビジョン放送番組に含まれる楽曲の楽曲情報を取得する。位置情報取得部２０４は楽曲情報取得部２０３により取得された楽曲情報に基づいて、録画部２０２により録画された録画データの先頭からの楽曲の開始位置を示す位置情報を取得する。記憶部２０５は楽曲情報を位置情報に対応づけて記憶する。再生部２０８は入力受付部２０７による再生する楽曲の選択指示入力と記憶部２０５に記憶された楽曲情報・位置情報とに基づいて、楽曲の先頭位置から録画データの再生を行う。【選択図】図２
2007194909.tif 000002
【特許請求の範囲】
【請求項１】
テレビジョン放送番組を受信する受信部と、
前記受信部により受信された前記テレビジョン放送番組を録画して録画データを取得する録画部と、
前記受信部により受信された前記テレビジョン放送番組に含まれる楽曲を識別するための楽曲情報を取得する楽曲情報取得部と、
前記録画部により取得された録画データと、前記楽曲情報取得部により取得された前記楽曲情報とに基づいて、前記録画データの中で前記楽曲情報取得部により取得された前記楽曲情報に対応する楽曲が始まる位置を示す位置情報を取得する位置情報取得部と、
前記楽曲情報取得部により取得された前記楽曲情報と、前記位置情報取得部により取得された前記位置情報とを出力する出力部と
を備えることを特徴とする録画装置。
【請求項２】
前記位置情報取得部は、前記録画データの中で前記楽曲情報取得部により取得された前記楽曲情報に対応する楽曲が始まる位置と、前記録画データの中で前記楽曲情報取得部により取得された前記楽曲情報に対応する楽曲が終わる位置とを示す位置情報を取得する
ことを特徴とする、請求項１に記載の録画装置。
【請求項３】
前記楽曲情報取得部により取得された前記楽曲情報を、前記位置情報取得部により取得された前記位置情報と対応づけて記憶する記憶部を更に備え、
前記出力部は、前記記憶部に記憶された情報に基づいて、前記位置情報と前記楽曲情報とを出力する
ことを特徴とする、請求項１又は２に記載の録画装置。
【請求項４】
前記記憶部に記憶された前記楽曲情報の中から、再生を行う前記楽曲に対応する前記楽曲情報の選択指示入力を受け付ける入力受付部と、
前記入力受付部により受け付けられた前記選択指示入力に基づいて、前記録画部により取得された前記録画データを、前記記憶部に記憶された前記位置情報が示す前記楽曲が始まる位置から再生する再生部とを更に備える
ことを特徴とする、請求項３に記載の録画装置。
【請求項５】
前記再生部は、前記入力受付部により受け付けられた前記選択指示入力に基づいて、前記録画部により取得された前記録画データを、前記記憶部に記憶された前記位置情報が示す前記楽曲が始まる位置から再生を開始し、前記位置情報が示す前記楽曲が終わる位置で再生を終了する
ことを特徴とする、請求項４に記載の録画装置。
【請求項６】
テレビジョン放送番組を受信する受信ステップと、
前記受信ステップにより受信された前記テレビジョン放送番組を録画して録画データを取得する録画ステップと、
前記受信ステップにより受信された前記テレビジョン放送番組に含まれる楽曲を識別するための楽曲情報を取得する楽曲情報取得ステップと、
前記録画ステップにより取得された録画データと、前記楽曲情報取得ステップにより取得された前記楽曲情報とに基づいて、前記録画データの中で前記楽曲情報取得ステップにより取得された前記楽曲情報に対応する楽曲が始まる位置を示す位置情報を取得する位置情報取得ステップと、
前記楽曲情報取得ステップにより取得された前記楽曲情報と、前記位置情報取得ステップにより取得された前記位置情報とを出力する出力ステップと
を備えることを特徴とする録画方法。
【請求項７】
コンピュータを、
テレビジョン放送番組を受信する受信部、
前記受信部により受信された前記テレビジョン放送番組を録画して録画データを取得する録画部、
前記受信部により受信された前記テレビジョン放送番組に含まれる楽曲を識別するための楽曲情報を取得する楽曲情報取得部、
前記録画部により取得された録画データと、前記楽曲情報取得部により取得された前記楽曲情報とに基づいて、前記録画データの中で前記楽曲情報取得部により取得された前記楽曲情報に対応する楽曲が始まる位置を示す位置情報を取得する位置情報取得部、
前記楽曲情報取得部により取得された前記楽曲情報と、前記位置情報取得部により取得された前記位置情報とを出力する出力部
として機能させることを特徴とするプログラム。
【発明の詳細な説明】
【技術分野】
【０００１】
本発明は、録画データの中から所望のデータが記録された位置を簡単に取得して再生するために好適な録画装置、録画方法、及び、プログラムに関するものである。
【背景技術】
【０００２】
近年、携帯電話にもテレビ視聴機能が搭載され、自宅以外の場所でもテレビ番組を視聴することが可能となっている。また、受信したテレビ番組をメモリカード等の記憶媒体に符号化データとして記録しておき、ユーザの都合の良い時間にテレビ番組を視聴することができる。また、ハードディスクドライブ（HDD）などの大容量ストレージに記憶したテレビ番組も、レート変換をすることにより、メモリカードを介して携帯電話で視聴することができる。さらに、携帯端末用地上波デジタル放送の運用が開始されれば、このような外出先でテレビ視聴するユーザが増大することが予想される。このように、ユーザは携帯端末を用いて好きな番組を録画して視聴することが可能である。例えば、歌の紹介番組を録画して、何度も自分の好きな歌の場面を見返すことができる。
【０００３】
また、番組中に流れている歌や曲の題名を検索して取得する機能が搭載されている携帯端末も普及してきている。例えば、特許文献１には、演奏中の音楽を携帯電話機のマイクで集音してメロディ情報を取得し、このメロディ情報の特徴に合致した楽曲を検索できるシステムが開示されている。
【特許文献１】特開２００２−１９６７６９号公報
【発明の開示】
【発明が解決しようとする課題】
【０００４】
しかしながら、従来技術によれば、ユーザは自分の好きな音楽を録画（又は録音）しても、その音楽が録画ファイルのどの辺りにあるのかが分からない。そのため、例えば早送りさせて見たい場面が出てくるまで画面を見張っている必要があり、非常に手間がかかってしまう。
【０００５】
この発明は、上記実情に鑑みてなされたものであり、録画データの中から所望のデータが記録された位置を簡単に取得して再生するために好適な録画装置、録画方法、及び、プログラムを提供することを目的とする。
【課題を解決するための手段】
【０００６】
上記目的を達成するため、本発明の第１の観点に係る録画装置は、
テレビジョン放送番組を受信する受信部と、
受信部により受信されたテレビジョン放送番組を録画して録画データを取得する録画部と、
受信部により受信されたテレビジョン放送番組に含まれる楽曲を識別するための楽曲情報を取得する楽曲情報取得部と、
録画部により取得された録画データと、楽曲情報取得部により取得された楽曲情報とに基づいて、録画データの中で楽曲情報取得部により取得された楽曲情報に対応する楽曲が始まる位置を示す位置情報を取得する位置情報取得部と、
楽曲情報取得部により取得された楽曲情報と、位置情報取得部により取得された位置情報とを出力する出力部とを備える。
【０００７】
これにより、録画装置は、例えばテレビジョン放送番組の録画中に、このテレビジョン放送番組に含まれる楽曲の楽曲情報（例えば、曲名、歌手名等）や、その楽曲が録画ファイルのどこから始まるかを示す位置情報を自動的に取得することができる。そして、録画装置は取得した楽曲情報と位置情報を出力することにより、ユーザは所望の楽曲が録画ファイルのどこから始まるかを容易に知ることができる。
【０００８】
また、位置情報取得部は、録画データの中で楽曲情報取得部により取得された楽曲情報に対応する楽曲が始まる位置と、録画データの中で楽曲情報取得部により取得された楽曲情報に対応する楽曲が終わる位置とを示す位置情報を取得することもできる。
【０００９】
これにより、録画装置は、録画したテレビジョン放送番組に含まれる楽曲が録画ファイルのどこから始まるかに加えて、どこで終了するかを示す位置情報も取得することができる。そして、録画装置は取得した楽曲情報と位置情報を出力することにより、ユーザは所望の楽曲が録画ファイルのどこから始まるかを容易に知ることができ、どこで終わるかも容易に知ることができる。
【００１０】
また、録画装置は、楽曲情報取得部により取得された楽曲情報を、位置情報取得部により取得された位置情報と対応づけて記憶する記憶部を更に備え、
出力部は、記憶部に記憶された情報に基づいて、位置情報と楽曲情報とを出力することができる。
【００１１】
これにより、録画装置は、取得した楽曲情報と位置情報を所定の記憶装置などに記憶し出力することができる。すなわち、ユーザは、録画データにどのような楽曲が録画されているかをいつでも容易に知ることができ、さらに、所望の楽曲が録画ファイルのどこにあるかも容易に知ることができる。
【００１２】
また、記憶部に記憶された楽曲情報の中から、再生を行う楽曲に対応する楽曲情報の選択指示入力を受け付ける入力受付部と、
入力受付部により受け付けられた選択指示入力に基づいて、録画部により取得された録画データを、記憶部に記憶された位置情報が示す楽曲が始まる位置から再生する再生部とを更に備えることができる。
【００１３】
これにより、録画装置は、録画データに含まれる楽曲のいずれを再生するかをユーザから受け付けて、ユーザにより選択された楽曲が始まる位置から再生することができる。すなわち、ユーザは、所望の楽曲を選択するだけで、その楽曲の先頭から再生して視聴することができる。そして、ユーザは、所望の楽曲が録画データのどこにあるかを調べる手間を省くことができる。
【００１４】
また、再生部は、入力受付部により受け付けられた選択指示入力に基づいて、録画部により取得された録画データを、記憶部に記憶された位置情報が示す楽曲が始まる位置から再生を開始し、位置情報が示す楽曲が終わる位置で再生を終了することができる。
【００１５】
これにより、録画装置は、録画データに含まれる楽曲のいずれを再生するかをユーザから受け付けて、ユーザにより選択された楽曲が始まる位置から再生を開始し、楽曲が終わる位置で再生を終了することができる。すなわち、ユーザは、所望の楽曲を選択するだけで、その楽曲の先頭からその楽曲の最後までを再生して視聴することができる。そして、ユーザは、所望の楽曲が録画データのどこからどこまでに録画されているかを調べる手間を省くことができ、実質的に所望の楽曲のみを選択して視聴することができる。
【００１６】
上記目的を達成するため、本発明のその他の観点に係る録画方法は、
テレビジョン放送番組を受信する受信ステップと、
前記受信ステップにより受信された前記テレビジョン放送番組を録画して録画データを取得する録画ステップと、
前記受信ステップにより受信された前記テレビジョン放送番組に含まれる楽曲を識別するための楽曲情報を取得する楽曲情報取得ステップと、
前記録画ステップにより取得された録画データと、前記楽曲情報取得ステップにより取得された前記楽曲情報とに基づいて、前記録画データの中で前記楽曲情報取得ステップにより取得された前記楽曲情報に対応する楽曲が始まる位置を示す位置情報を取得する位置情報取得ステップと、
前記楽曲情報取得ステップにより取得された前記楽曲情報と、前記位置情報取得ステップにより取得された前記位置情報とを出力する出力ステップとを備える。
【００１７】
これにより、例えばテレビジョン放送番組の録画中に、このテレビジョン放送番組に含まれる楽曲の楽曲情報を自動的に取得して、さらにその楽曲が録画ファイルのどこから始まるかを示す位置情報を取得することができる録画方法を提供することができる。そして、この方法によれば、取得した楽曲情報と位置情報を出力することにより、ユーザは所望の楽曲が録画ファイルのどこから始まるかを容易に知ることができる。
【００１８】
上記目的を達成するため、本発明のその他の観点に係るプログラムは、コンピュータを、
テレビジョン放送番組を受信する受信部、
前記受信部により受信された前記テレビジョン放送番組を録画して録画データを取得する録画部、
前記受信部により受信された前記テレビジョン放送番組に含まれる楽曲を識別するための楽曲情報を取得する楽曲情報取得部、
前記録画部により取得された録画データと、前記楽曲情報取得部により取得された前記楽曲情報とに基づいて、前記録画データの中で前記楽曲情報取得部により取得された前記楽曲情報に対応する楽曲が始まる位置を示す位置情報を取得する位置情報取得部、
前記楽曲情報取得部により取得された前記楽曲情報と、前記位置情報取得部により取得された前記位置情報とを出力する出力部として機能させる。
【００１９】
これにより、プログラムは、コンピュータを受信部、録画部、楽曲情報取得部、位置情報取得部及び出力部として機能させることができる。すなわち、コンピュータは、例えばテレビジョン放送番組の録画中に、このテレビジョン放送番組に含まれる楽曲の楽曲情報を自動的に取得して、さらにその楽曲が録画ファイルのどこから始まるかを示す位置情報を取得することができる。そして、コンピュータは取得した楽曲情報と位置情報を出力することにより、ユーザは所望の楽曲が録画ファイルのどこから始まるかを容易に知ることができる。
【００２０】
また、本発明のプログラムは、コンパクトディスク、フレキシブルディスク、ハードディスク、光磁気ディスク、ディジタルビデオディスク、磁気テープ、半導体メモリ等のコンピュータ読取可能な情報記憶媒体に記録することができる。
【００２１】
上記プログラムは、プログラムが実行されるコンピュータとは独立して、コンピュータ通信網を介して配布・販売することができる。また、上記情報記憶媒体は、コンピュータとは独立して配布・販売することができる。
【発明の効果】
【００２２】
本発明によれば、録画データの中から所望のデータが記録された位置を簡単に取得して再生するために好適な録画装置、録画方法、及び、プログラムを提供することができる。
【発明を実施するための最良の形態】
【００２３】
（実施形態１）
以下、本発明の実施の形態を、図面を用いて説明する。以下では、本発明の実施形態を携帯電話機を用いて説明するが、各種のコンピュータ、ＤＶＤレコーダ、ビデオテープレコーダなどの録画装置においても同様に本発明を適用することができる。すなわち、以下に説明する実施形態は説明のためのものであり、本願発明の範囲を制限するものではない。したがって、当業者であればこれらの各要素もしくは全要素をこれと均等なものに置換した実施形態を採用することが可能であるが、これらの実施形態も本発明の範囲に含まれる。
【００２４】
図１は、本実施形態に係る録画装置１００の構成を示すブロック図である。本実施形態では、録画装置１００として携帯電話機を用いている。
【００２５】
録画装置１００は、通信部１０１、チューナ部１０２、音声処理部１０３、ＲＯＭ（Read Only Memory）１０４、ＲＡＭ（Random Access Memory）１０５、入力部１０６、表示部１０７、Ｉ／Ｏ（Input/Output）１０８、電源部１０９及び制御部１１０を備える。
【００２６】
通信部１０１は、録画装置１００が携帯電話の送信機となる場合、マイクロフォン１２４により入力され音声処理部１０３が備えるＡ／Ｄ（Analog/Digital）コンバータ（図示せず）により変換された音声信号を変調し、通信部１０１に接続されるアンテナ１２１を用いて相手（受信側）に送信する。また、録画装置１００が受信機となる場合、通信部１０１に接続されるアンテナ１２１を用いて音声信号等を受信し、入力された音声信号を復調する。復調された音声信号は音声処理部１０３に入力される。また、通信部１０１は、携帯電話の基地局、ロケーションサーバおよびＧＰＳ(Global Positioning System)衛星と情報のやり取りを行い、録画装置１００の位置座標を緯度・経度情報として取得する。また、録画装置１００がインターネット等で接続された他の情報処理装置などにアクセスするためのデータ通信処理等も行う。また、通信部１０１は、例えば、ＣＤＭＡ（Code Division Multiple Access）、ＥＶ−ＤＯ（Evolution-Data Only）、無線ＬＡＮ（Local Area Network）等の複数の通信方式を利用可能にするものであってもよい。
【００２７】
チューナ部１０２は、テレビジョン放送の無線信号を受信するアンテナ１２２に接続され、テレビジョン放送の各チャンネルの映像信号や音声信号等を受信しデコードする機能を有する。あるいは、ケーブルを用いて直接映像信号や音声信号等を受信してもよい。なお、チューナ部１０２に接続されるアンテナ１２２は、通信部１０１に接続されるアンテナ１２１と共用するように構成してもよい。
【００２８】
音声処理部１０３は、録画装置１００が携帯電話の送信機となる場合、ユーザの発声音等を音声処理部１０３に接続されるマイクロフォン１２４によって集音し、音声処理部１０３が備えるＡ／Ｄ（Analog/Digital）コンバータ（図示せず）により音声信号に変換し音声信号を出力する。また、音声処理部１０３は、録画装置１００が受信機となる場合、音声処理部１０３に接続されるスピーカ１２３に、音声処理部１０３が備えるＤ／Ａ（Digital/Analog）コンバータ（図示せず）により復調された通話音を出力する。
【００２９】
ＲＯＭ１０４は、録画装置１００の全体の制御に必要なオペレーティングシステム（ＯＳ）やプログラム等を記憶する不揮発性メモリである。制御部１１０は、ＲＯＭ１０４に記憶されたＯＳやプログラム等をＲＡＭ１０５に読み出して実行する。
【００３０】
ＲＡＭ１０５は、制御部１１０が行う処理に必要なデータやプログラム等を一時的に記憶する。また、ＲＡＭ１０５の記憶領域の一部はフラッシュメモリから構成され、電話やメールに使用するアドレス帳、通話の履歴、各種機能の設定値等を記憶する。制御部１１０は、ＲＡＭ１０５に変数領域を設け、この変数領域に格納された値に対して演算を行う。あるいは、制御部１１０は、ＲＡＭ１０５に格納された値を一旦レジスタに格納してからレジスタに対して演算を行い、演算結果をＲＡＭ１０５に書き戻す、などの処理を行う。
【００３１】
入力部１０６は、操作キー１２５からの操作信号が入力され、操作信号に対応するキーコード信号を制御部１１０に入力する。制御部１１０は、キーコード信号に基づき、操作内容を決定する。例えば、操作キー１２５は、録画装置１００の電源をＯＮ／ＯＦＦするときや、テレビ視聴アプリケーションを起動するときなど、ユーザが携帯電話に入力を与える際に使用される。このように、録画装置１００のユーザは、操作キー１２５を操作して録画装置１００に所望の動作指示を行うことができる。
【００３２】
表示部１０７は、制御部１１０や表示部１０７が備える画像演算プロセッサ（図示せず）によって画像データを加工処理した後、表示部１０７が備える出力バッファ（図示せず）に記録する。出力バッファに記録された画像情報は、所定の同期タイミングで画像信号に変換され、表示部１０７に接続されるディスプレイ１２６に出力される。これにより、映像データや字幕データ等の画像表示が可能となる。また、表示部１０７は、例えば、電源状態、電波強度、電池残量、サーバ接続状態もしくは未読メール等の動作状態、入力した電話番号、メールの宛先、メール送信文書等や、動画データおよび静止画データ、着信時の発呼者の電話番号、着信メール文書、接続されたインターネット画面等の受信データの表示など、、携帯電話の機能を利用するために必要な画面を、ディスプレイ１２６に表示する。例えば、ディスプレイ１２６は、ＬＣＤ（Liquid Crystal Display）や有機ＥＬ（Electroluminescence）等から構成される。
【００３３】
Ｉ／Ｏ１０８は、メモリカード等の外部記録媒体との接続を行いデータの入出力を行う。また、例えば、ＵＳＢ（Universal Serial Bus）接続により録画装置１００と外部機器とを接続して、外部機器との間でデータの入出力を行う。
【００３４】
電源部１０９は、録画装置１００を駆動させるための電源である。
【００３５】
制御部１１０は、ＲＯＭ１０４に記憶されたＯＳや制御プログラムに従って、録画装置１００の全体の制御を行う。制御部１１０は、制御の必要に応じて、上述した各部に制御信号およびデータを送信、または、各部から応答信号およびデータを受信する。例えば、制御部１１０は、ＣＰＵ（Central Processing Unit）から構成される。例えば、制御部１１０は、ＲＯＭ１０４等に記憶されたテレビ視聴アプリケーションを実行して、テレビジョン放送番組を受信して表示したり録画したりする処理や、既に録画した録画番組を再生して表示する処理などを行う。なお、詳細については後述する。
【００３６】
次に、本実施形態の制御部１１０等が実行する処理について、図２を用いて説明する。なお、本実施形態では、テレビジョン放送番組を携帯電話で視聴する際に、ユーザがこのテレビジョン放送番組を録画し、ユーザが都合の良い時間に録画番組を再生して視聴する場合を例に説明する。
【００３７】
録画装置１００は、受信部２０１、録画部２０２、楽曲情報取得部２０３、位置情報取得部２０４、記憶部２０５、リスト出力部２０６、入力受付部２０７及び再生部２０８を備える。
【００３８】
受信部２０１は、テレビジョン放送される各チャンネルの映像信号や音声信号等をチューナ部１０２により受信しデコードする。そして、デコードされたテレビジョン放送番組の映像データは表示部１０７に入力されてディスプレイ１２６に表示される。また、デコードされたテレビジョン放送番組の音声データは音声処理部１０３に入力されてスピーカ１２３から音声として出力される。あるいは、テレビジョン放送番組を録画する場合、デコードされたテレビジョン放送番組の映像データ及び音声データは録画部２０２に入力される。
なお、チューナ部１０２が制御部１１０と協働して動作することにより受信部２０１として機能する。
【００３９】
録画部２０２は、入力部１０６が受け付けたチャンネル番号のテレビジョン放送番組を典型的には一定時間（３０分、６０分、２時間など）録画する。録画されて得られた録画データは、例えばＩ／Ｏ１０８に接続されるメモリカード等に記憶される。また、テレビジョン放送番組のチャンネル番号、放送番組の放送開始時刻、放送終了時刻といった、テレビジョン放送番組を録画するために必要なパラメータが有効な値であることが前提となる。ただし、録画データを記憶する手段はこれに限られず、例えば通信部１０１により接続されるインターネット等のネットワーク上の他の情報処理装置などに記憶するように構成してもよい。
なお、チューナ部１０２が制御部１１０と協働して動作することにより録画部２０２として機能する。
【００４０】
楽曲情報取得部２０３は、受信部２０１により受信されたテレビジョン放送番組に含まれる音楽（例えば、歌謡曲、クラシック音楽など）を識別するための情報（以下、「楽曲情報」と呼ぶ）を取得する。例えば、この楽曲情報には、音楽の曲名、アーチスト名などが含まれる。
なお、通信部１０１とチューナ部１０２が制御部１１０と協働して動作することにより楽曲情報取得部２０３として機能する。
【００４１】
例えば、楽曲情報取得部２０３は、受信部２０１により受信されたテレビジョン放送番組の音声データを受け取り、この音声データの一部又は全部を通信部１０１により曲名検索サーバに送信する。あるいは、楽曲情報取得部２０３は、この音声データの一部又は全部に基づいてメロディ情報を生成し、曲名検索サーバに送信する。そして、楽曲情報取得部２０３は、検索結果である曲名などの楽曲情報を、通信部１０１により受信して取得する。
【００４２】
ここで、曲名検索サーバとは、入力された音声データ又はメロディ情報と、予め曲名検索サーバが保持している楽曲の情報とのマッチングを行い、入力された音声データ又はメロディ情報がどの曲に一番類似しているかを決定し、一番類似しているものの楽曲情報を出力するサーバである。例えば、曲名検索サーバは、インターネット等のネットワークに接続されており、特許文献１に開示されるメロディ分析装置のように一般に用いられているサーバである。なお、曲名検索サーバは、入力された音声データやメロディ情報などに基づいて曲名などの楽曲情報を検索できるものであればよく、本発明によって限定されるものではない。
【００４３】
位置情報取得部２０４は、録画部２０２によって取得された録画データと、楽曲情報取得部２０３により取得された楽曲情報とに基づいて、録画データの中で楽曲が始まる位置を示す情報（以下、「位置情報」と呼ぶ）を取得する。
【００４４】
すなわち、楽曲情報取得部２０３は、受信部２０１により受信されたテレビジョン放送番組の音声データのうち、その一部分である所定のサイズ（例えば、音声データの３秒間分、１０秒間分など）の音声データ（以下、「音声断片データ」と呼ぶ）を曲名検索サーバに送信する。送信した音声断片データに対応する音楽が存在した場合、楽曲情報取得部２０３はその音声断片データに対応する楽曲情報を曲名検索サーバから受信して取得する。そして、位置情報取得部２０４は、曲名検索サーバに送信した音声断片データの、音声データの先頭部分からの位置を示す位置を求め、楽曲の位置情報を取得する。なお、対応する楽曲情報が存在しない場合、楽曲情報取得部２０３は、対応する楽曲情報が無い旨の通知を曲名検索サーバから受信して取得する。
【００４５】
例えば、図３に示すように、各音声断片データがΔＴ秒間分であり、ｎ番目（ｎは１以上の整数）に曲名検索サーバに送信した第ｎ音声断片データが曲名「真夏の思い出話」であると判定されたとする。このとき、位置情報取得部２０４は、音声データの先頭部分から（ｎ−１）×ΔＴ秒経過した位置が、曲名「真夏の思い出話」の開始位置であることを示す位置情報を取得する。
【００４６】
ここで、位置情報取得部２０４は、連続する２つの第ｎ音声断片データと第ｎ＋１音声断片データが同じ楽曲情報（例えば、同じ曲名）であるとき、この楽曲の開始位置は、始めにこの楽曲であると判定された第ｎ音声断片データの開始位置であると判定する。同様に、連続する３つ以上の音声断片データが同じ楽曲情報であるとき、この楽曲の開始位置は最初にこの楽曲であると判定された音声断片データの開始位置であると判定する。すなわち、連続する２つの音声断片データが異なる楽曲情報であると判定された場合に、２つめの音声断片データの開始位置が楽曲の開始位置と成り得る。
【００４７】
このように、録画装置１００のユーザは、録画データのどの部分に所望の音楽が録画されているかを容易に知ることができる。
なお、制御部１１０が位置情報取得部２０４として機能する。
【００４８】
記憶部２０５は、楽曲情報取得部２０３により取得された楽曲情報を、位置情報取得部２０４により取得された位置情報と対応づけて記憶する。記憶部２０５は、例えば図４に示すように、楽曲情報と位置情報とを対応づけた楽曲リスト２５１を記憶する。本図では、楽曲情報として曲名と歌手名とを用い、位置情報として録画データの先頭からの時間を用いている。そして、後述するように、リスト出力部２０６は、記憶部２０５に記憶された楽曲リスト２５１に基づいて、録画データに録画された音楽の一覧を表示することができる。また、再生部２０８は、記憶部２０５に記憶された楽曲リスト２５１に基づいて、録画装置１００のユーザからの入力部１０６による選択指示入力に対応する音楽を、音楽の最初から容易に再生することができる。
【００４９】
また、記憶部２０５は、録画部２０２により録画された録画データを識別するための情報と、その録画データに含まれる音楽の一覧を示す楽曲リスト２５１とを対応づける録画リスト２５２を記憶する。これにより、各部は録画データに対応する楽曲リスト２５１がどれであるかを判別でき、記憶部２０５は録画データと対応する楽曲リスト２５１とを複数個記憶することができる。例えば、記憶部２０５は、図５に示すように、録画データを識別するための情報として録画データの録画ファイル名を用い、対応する楽曲リスト２５１を識別するための情報として楽曲リスト名を用いた録画リスト２５２を記憶する。なお、本図では、録画ファイル名と楽曲リスト名に、録画部２０２により録画された日時を用いているが、これに限られるものではない。
【００５０】
記憶部２０５は、このような楽曲リスト２５１と録画リスト２５２を、例えばＲＡＭ１０５のフラッシュメモリ領域やＩ／Ｏ１０８に接続されたメモリカード等に記憶する。ただし、楽曲リスト２５１と録画リスト２５２は上述した形態に限られない。例えば、楽曲リスト２５１と録画リスト２５２の各項目に含まれる情報を記憶するデータベース等であってもよい。
なお、ＲＡＭ１０５やＩ／Ｏ１０８が制御部１１０と協働して動作することにより記憶部２０５として機能する。
【００５１】
リスト出力部２０６は、記憶部２０５に記憶された楽曲リスト２５１と録画リスト２５２とに基づいて、録画部２０２により録画された録画データの一覧と、この録画データに含まれる音楽の一覧を出力する。例えば、これらの一覧は、ディスプレイ１２６に所定の表示形式で表示される。ディスプレイ１２６の表示形式については後述する。
なお、表示部１０７が制御部１１０と協働して動作することによりリスト出力部２０６として機能する。
【００５２】
入力受付部２０７は、記憶部２０５に記憶された楽曲リスト２５１の中から、再生する楽曲に対応する楽曲情報の選択指示入力を受け付ける。入力受付部２０７は、再生する楽曲情報がユーザにより操作キー１２５を用いて選択されると、選択された楽曲を再生する旨の通知を再生部２０８に入力する。
なお、入力部１０６が制御部１１０と協働して動作することにより入力受付部２０７として機能する。
【００５３】
再生部２０８は、チューナ部１０２から入力されるテレビジョン放送番組の音声信号、映像信号等を受け取り、例えば音声データ、映像データ、字幕データ等を取得する。再生部２０８は、制御部１１０からテレビジョン放送番組を表示する命令を受け取ると、テレビジョン放送番組を受信して音声データを音声処理部１０３に、映像データを表示部１０７に入力する。また、再生部２０８は、必要に応じて字幕データも表示部１０７に入力する。すなわち、ユーザは所望のテレビジョン放送番組を視聴することができる。また、再生部２０８は、制御部１１０から録画されたテレビジョン放送番組の再生命令を受け取ると、再生された音声データを音声処理部１０３に、映像データを表示部１０７に入力する。すなわち、ユーザは、所望のテレビジョン放送番組を視聴することができる。
なお、チューナ部１０２、音声処理部１０３、表示部１０７が制御部１１０と協働して動作することにより再生部２０８として機能する。
【００５４】
図６及び図７は、リスト出力部２０６及び再生部２０８によりディスプレイ１２６に表示される、制御部１１０により実行されるテレビ視聴アプリケーションの画面の例を示す図である。テレビ視聴アプリケーションは、テレビジョン放送番組を受信して映像をディスプレイ１２６に表示し音声をスピーカ１２３に出力する制御を行うソフトウェアである。また、テレビ視聴アプリケーションは、テレビジョン放送番組の視聴・録画ができるものであればよく、本発明によって限定されるものではない。なお、このテレビ視聴アプリケーションは予めＲＯＭ１０４等に記憶され、制御部１１０がＲＯＭ１０４等に記憶されたテレビ視聴アプリケーションをＲＡＭ１０５に読み出して実行される。
【００５５】
まず、ユーザによりテレビ視聴アプリケーションが起動されると、ディスプレイ１２６には放送中のテレビジョン放送を見るか、以前に録画した録画番組を見るかを選択するメニュー画面が図６（ａ）のように表示される。録画装置１００のユーザは、操作キー１２５を操作してどちらかを選択することができる。
【００５６】
例えば、ユーザにより「放送中の番組を見る」が選択されると、図６（ｂ）に示すような表示画面に遷移する。この表示画面には、テレビ表示領域６０１とチャンネル操作領域６０２と音量操作領域６０３と録画操作領域６０４とが含まれる。テレビ表示領域６０１には、受信部２０１により受信されたテレビジョン放送番組の映像が出力される。また、同時に、音声処理部１０３に接続されたスピーカ１２３から受信したテレビジョン放送番組の音声が出力される。チャンネル操作領域６０２は、受信したテレビジョン放送番組のチャンネル番号を表示する。また、チャンネル番号を変更するための操作ボタンが配置され、この操作ボタンが操作キー１２５を用いてユーザにより押下されて、受信するテレビジョン放送番組のチャンネル番号を変更できる。音量操作領域６０３は、テレビジョン放送番組の音量を表示する。また、音量を変更するための操作ボタンが配置され、この操作ボタンが操作キー１２５を用いてユーザにより押下されて、受信するテレビジョン放送番組の音量を変更できる。録画操作領域６０４には、受信中のテレビジョン放送番組を録画する指示を行う操作ボタンが配置され、この操作ボタンが操作キー１２５を用いてユーザにより押下されて、受信したテレビジョン放送番組を録画できる。
【００５７】
一方、ユーザにより「録画番組を見る」が選択されると、図７（ａ）に示すような表示画面に遷移する。この表示画面には、録画リスト表示領域７０１が含まれる。録画リスト表示領域７０１には、既に録画された録画データの一覧が表示される。この録画データの一覧は、記憶部２０５に記憶された録画リスト２５２の内容に基づいて表示される。例えば本図のように、テレビジョン放送の映像信号に重畳して送信されるＥＰＧ（Electrical Program Guide）等から取得したテレビジョン放送番組の番組名が表示される。また、所望の録画番組を選択するための操作ボタンが配置され、この操作ボタンが操作キー１２５を用いてユーザにより押下されて、再生するテレビジョン放送番組を変更できる。録画番組の１つが選択されると、図７（ｂ）に示すような表示画面に遷移する。この表示画面には、楽曲リスト表示領域７０２が含まれる。楽曲リスト表示領域７０２には、選択された録画番組に含まれる楽曲の一覧が表示される。この楽曲の一覧は、記憶部２０５に記憶された楽曲リスト２５１の内容に基づいて表示される。また、所望の楽曲を選択するための操作ボタンが配置され、この操作ボタンが操作キー１２５を用いてユーザにより押下されて、再生する楽曲を変更できる。楽曲の１つが選択されると、図７（ｃ）に示すような表示画面に遷移する。この表示画面には、再生画面表示領域７０３と再生時間表示領域７０４と録画情報表示領域７０５とが含まれる。再生画面表示領域７０３には、録画部２０２により録画されたテレビジョン放送番組の映像が再生されて出力される。また、同時に、音声処理部１０３に接続されたスピーカ１２３から再生した録画番組の音声が出力される。再生時間表示領域７０４には、録画番組の先頭からの経過時間が表示される。録画情報表示領域７０５には、録画番組の番組名等の録画情報が表示される。
【００５８】
このように、録画装置１００は、現在放送中のテレビジョン放送番組を受信して表示したり録画番組を再生して表示することができる。また、録画装置１００のユーザは、どの録画番組にどの音楽が含まれているかを容易に知ることができ、所望の音楽をいち早く視聴することができる。そして、ユーザの見たい（聴きたい）音楽を選択するだけで、すぐに見たい場面から再生が行われるため、いちいち早送りをする手間が省け、使い勝手が向上する。なお、図６及び図７に示すテレビ視聴アプリケーションの表示画面は一例であり、本発明の内容を限定するものではない。
【００５９】
（楽曲・位置情報取得処理、録画処理）
次に、楽曲情報取得部２０３及び位置情報取得部２０４により行われる処理（以下、「楽曲・位置情報取得処理」と呼ぶ）について図８のフローチャートを用いて説明する。なお、本実施形態では、楽曲・位置情報取得処理は、所定のテレビ視聴アプリケーションを用いて受信部２０１によりテレビジョン放送番組が受信されると開始し、受信が終了する（例えばユーザが視聴を終える）と終了する。
【００６０】
以下、受信部２０１により受信されたテレビジョン放送番組を録画部２０２が録画する場合を例に説明する。すなわち、テレビジョン放送番組を録画する処理（以下、「録画処理」と呼ぶ）が、楽曲・位置情報取得処理と連動して実行される。
【００６１】
まず、テレビ視聴アプリケーションを起動するキー入力を制御部１１０が検出すると、受信部２０１は、ＲＡＭ１０５に記憶されているテレビ視聴アプリケーションに関する変数の初期化等といった起動処理を行う。そして、受信部２０１は、テレビジョン放送番組を受信し、受信した映像信号に基づいてディスプレイ１２６にテレビ画面を表示し、受信した音声信号に基づいてスピーカ１２３にテレビ音声を出力する。また、録画部２０２は、受信部２０１により受信されたテレビジョン放送番組の録画を開始する。録画されて得られる録画データは、例えばＩ／Ｏ１０８に接続されるメモリーカード等に記録される。
【００６２】
楽曲情報取得部２０３は、受信しているテレビジョン放送番組の音声データを受信部２０１から取得する。そして、楽曲情報取得部２０３は、受信部２０１により受信されたテレビジョン放送番組の音声データのうち、その一部分である所定のサイズ（例えば、音声データの３秒間分、１０秒間分など）のデータを切り出して音声断片データを取得する（ステップＳ１１）。
【００６３】
また、楽曲情報取得部２０３は、ステップＳ１１で取得した音声断片データの先頭部分に対応する時刻をＲＡＭ１０５に一時記憶する（ステップＳ１２）。
【００６４】
そして、楽曲情報取得部２０３は、取得された音声断片データを曲名検索サーバに送信する（ステップＳ１３）。あるいは、取得した音声断片データに基づいて取得されたメロディ情報を送信するように構成してもよい。この場合、曲名検索サーバは、所定のアルゴリズムにより生成されたメロディ情報を受信して、該当する楽曲を検索し、検索結果を送信する機能を備えていればよい。
【００６５】
楽曲情報取得部２０３は、曲名検索サーバによる検索結果を受信する（ステップＳ１４）。例えば、楽曲情報取得部２０３は、送信した音声断片データに対応する曲名、歌手名などの楽曲情報を取得する。あるいは、楽曲情報取得部２０３は、送信した音声断片データに対応する楽曲情報がないことを示す情報を取得する。
【００６６】
送信した音声断片データに対応する楽曲情報が存在しない場合（ステップＳ１５；ＮＯ）、後述するステップＳ１８の処理に進む。楽曲情報が存在した場合（ステップＳ１５；ＹＥＳ）、位置情報取得部２０４は、ステップＳ１４で取得した楽曲情報が前回取得した楽曲情報と異なるか否かを判定する（ステップＳ１６）。
【００６７】
前回取得した楽曲情報と異なる場合（ステップＳ１６；ＹＥＳ）、位置情報取得部２０４は、記憶部２０５に位置情報を記憶する（ステップＳ１７）。すなわち、位置情報取得部２０４は、図４に示すように、取得された楽曲情報（例えば曲名、歌手名）とステップＳ１２で一時記憶された時刻（先頭からの時間）とを対応づけた情報を楽曲リスト２５１に記憶する。例えば、番組中に流れている音楽が変わった場合、取得する楽曲情報は異なることになる。
【００６８】
一方、前回取得した楽曲情報と同じ場合（ステップＳ１６；ＮＯ）、位置情報取得部２０４は、楽曲リスト２５１を更新しない。
【００６９】
なお、録画開始直後の１回目の音声断片データに対応する楽曲情報については、前回取得した楽曲情報が存在しないため、楽曲情報と異なる（ステップＳ１６；ＹＥＳ）と判定されるものとする。
【００７０】
そして、楽曲情報取得部２０３は、楽曲・位置情報取得処理を続行するか否かを判定する（ステップＳ１８）。例えば、ユーザによりテレビ視聴アプリケーションが終了されたか否かに基づいてこの判定処理を行う。
【００７１】
楽曲・位置情報取得処理を続行する場合（ステップＳ１８；ＹＥＳ）、楽曲情報取得部２０３は、ステップＳ１１に戻り、上述したステップＳ１１乃至Ｓ１７の処理を繰り返し実行する。また、録画部２０２は録画処理を続行する。
【００７２】
楽曲・位置情報取得処理を続行しない場合（ステップＳ１８；ＮＯ）、楽曲情報取得部２０３は、楽曲・位置情報取得処理を終了する。また、録画部２０２は録画処理を終了する。
【００７３】
なお、本実施形態では、録画部２０２は、テレビジョン放送番組の録画処理を開始すると、録画日時やＥＰＧから得られる番組名などに基づいて録画ファイル名と楽曲リスト名とを自動で決定し、図５に示すような録画リスト２５２をＲＡＭ１０５のフラッシュメモリ領域等に記憶する。そして、楽曲・位置情報取得処理によって得られた楽曲リスト２５１は、決定された録画リスト名に対応する録画リスト２５２に記憶される。これにより、複数の録画番組の楽曲リスト２５１を記憶することができる。
【００７４】
このように、本実施形態によれば、テレビジョン放送番組に含まれる音楽の曲名などを自動的に取得して、録画データ中のその音楽が開始される位置を記憶することができる。そして、後述する再生処理において、楽曲・位置情報取得処理により記憶された楽曲リスト２５１と録画リスト２５２とを用いることによって、録画装置１００は、所望の音楽を、その音楽の最初から再生することができる。すなわち、ユーザは録画番組の中から所望の音楽をいち早く視聴することができる。
【００７５】
（再生処理）
次に、再生部２０８により行われる再生処理について図９のフローチャートを用いて説明する。
【００７６】
まず、テレビ視聴アプリケーションを起動するキー入力を制御部１１０が検出すると、受信部２０１はＲＡＭ１０５に記憶されているテレビ視聴アプリケーションに関する変数の初期化等といった起動処理を行う。
【００７７】
出力部２０６は、既に録画したテレビジョン放送番組の録画リスト２５２を取得する（ステップＳ２１）。そして、出力部２０６は、例えば図７（ａ）のような画面をディスプレイ１２６に表示させる。なお、上述したように、録画リスト２５２には、楽曲情報と位置情報とを記憶する楽曲リスト２５１が対応づけられている。
【００７８】
ユーザにより１つの録画リスト２５２が選択されると、出力部２０６は、対応する楽曲リスト２５１を取得する（ステップＳ２２）。そして、出力部２０６は、例えば図７（ｂ）のような画面をディスプレイ１２６に表示させる。なお、上述したように、楽曲リスト２５１には、録画データに含まれる楽曲情報と、その楽曲の先頭位置を示す位置情報とが記憶されている。
【００７９】
ユーザにより楽曲リスト２５１中の１つの楽曲が選択されると、再生部２０８は、再生する録画ファイル名を録画リスト２５２から取得し、再生する楽曲の位置情報を取得する。すなわち、録画ファイルの再生を開始するアドレスを決定する（ステップＳ２３）。例えば、位置情報が図４に示すように録画データの先頭からの時間である場合、再生部２０８は、録画データの先頭からその時間だけ後のアドレスを求める。
【００８０】
再生部２０８は、決定されたアドレスから録画データの再生を行う（ステップＳ２４）。すなわち、再生部２０８は、予め得られた録画リスト２５２と楽曲リスト２５１とに基づいて、所望の楽曲の先頭部分から再生することができる。
【００８１】
そして、再生部２０８は、再生を終了するか否かを判定する（ステップＳ２５）。再生を終了する場合（ステップＳ２５；ＹＥＳ）、再生部２０８は再生処理を終了する。例えば、ユーザによりテレビ視聴アプリケーションを終了する指示が入力されたり、録画データの終端まで達すると、再生部２０８は再生処理を終了する。一方、再生を終了しない場合（ステップＳ２５；ＮＯ）、ステップＳ２４に戻り再生処理を続行する。
【００８２】
なお、再生部２０８は、所定時間が経過すると再生処理を終了するようにすることもできる。例えば、位置情報取得部２０４は、楽曲が始まる位置情報に加えて、楽曲が終わる位置情報も楽曲リスト２５１に記憶する。そして、再生部２０８は、楽曲リスト２５１に記憶された位置情報に基づいて、ステップＳ２５で録画データの終端まで達したか否かを判定すればよい。すなわち、再生部２０８は、楽曲が始まる位置から再生処理を開始し、楽曲が終わる位置まで達した場合（ステップＳ２５；ＹＥＳ）、再生処理を終了する。一方、楽曲が終わる位置まで達していない場合（ステップＳ２５；ＮＯ）、再生処理を続行する。
【００８３】
このように、本実施形態によれば、楽曲・位置情報取得処理により記憶された楽曲リスト２５１と録画リスト２５２とを用いることによって、録画装置１００は、所望の音楽をその音楽の先頭から再生することができる。すなわち、ユーザは録画番組の中から所望の音楽をいち早く視聴することができる。そして、ユーザは曲名を選択するだけで、その場面から見ることができ、録画装置１００の使い勝手を向上することができる。
【００８４】
（実施形態２）
次に、録画装置１００の他の実施形態について説明する。本実施形態は、楽曲情報取得部２０３による音声断片データの取得方法を変えたものである。なお、本実施形態に係る録画装置１００のその他の構成は上述の実施形態と同様であるため説明を省略する。
【００８５】
楽曲情報取得部２０３は、上述の実施形態と同様に、受信部２０１により受信されたテレビジョン放送番組の音声データを受け取り、この音声データの一部又は全部を曲名検索サーバに送信する。そして、検索結果である曲名などの楽曲情報を曲名検索サーバから受信して取得する。
【００８６】
例えば、図１０に示すように、各音声断片データはΔＴ秒間分である。第１音声断片データは、音声データの先頭位置からΔＴ秒間分である。第２音声断片データは、音声データの先頭位置から所定量ΔＤだけ経過した位置からΔＴ秒間分である。すなわち、第１音声断片データと第２音声断片データには、共通するデータ部分が存在する。同様に、第ｎ音声断片データは、音声データの先頭位置から所定量（ｎ−１）×ΔＤだけ経過した位置からΔＴ秒間分である。
【００８７】
そして、位置情報取得部２０４は、上述の実施形態と同様に、録画部２０２によって取得された録画データと、楽曲情報取得部２０３により取得された楽曲情報とに基づいて、録画データの中で楽曲が始まる情報（位置情報）を取得する。
【００８８】
これにより、楽曲情報取得部２０３により取得される楽曲情報、及び、位置情報取得部２０４により取得される位置情報の時間的間隔を狭くすることができる。すなわち、より正確に楽曲の先頭部分を判別することができる。
【００８９】
本発明は、上述した実施形態に限定されず、種々の変形及び応用が可能である。
【００９０】
例えば、録画開始時間、録画終了時間、録画チャンネル番号などの入力を受け付ける予約受付部を更に備え、録画部２０２は予約受付部により受け付けられた予約内容に基づいて所望のテレビジョン放送番組を録画できるように構成してもよい。
【００９１】
例えば、楽曲情報取得部２０３は、録画部２０２によりテレビジョン放送番組が録画されるときのみ、楽曲情報を取得するように構成してもよい。すなわち、録画を行わないでテレビジョン放送番組の視聴を行うときには楽曲情報を取得しないように構成してもよい。
【００９２】
例えば、受信部２０１は、テレビジョン放送番組を受信する代わりに、音声処理部１０３に接続されたマイクロフォン１２４によって集音した音声を取得して、この音声を楽曲情報取得部２０３、録画部２０２に入力するするように構成することもできる。これにより、録画装置１００は、テレビジョン放送番組だけでなく、録画可能なコンサート会場や街中などの任意の場所で音楽を録画（録音）し、楽曲情報取得部２０３により得られた楽曲リスト２５１に基づいて録画データの中の音楽の先頭部分を判別してその位置から容易に再生をすることができる。
【００９３】
例えば、位置情報取得部２０４は、楽曲の開始位置だけでなく終了位置も判別するように構成することもできる。この場合、位置情報取得部２０４は、ステップＳ１６で異なる楽曲情報であると判別された場合に、異なる楽曲情報であると判別されたときの先頭からの時間を楽曲リスト２５１に記憶すればよい。これにより、録画装置１００は、再生時間を予め取得して例えばユーザに通知することができる。例えば、楽曲情報取得部２０３により音声断片データに対応する楽曲情報が取得されなかった（すなわち、楽曲ではないと判定された）部分が音声データに多く含まれる場合に、楽曲の開始位置から終了位置までを再生することにより、楽曲に相当する部分のみを抽出して再生することができる。
【００９４】
上記実施形態では、テレビジョン放送番組に含まれる音楽の楽曲情報を取得するが、テレビジョン放送番組に限らず、ラジオ放送、インターネット放送などその他の無線放送、有線放送に含まれる音楽の録画・録音にも適用することもできる。
【００９５】
上記実施形態では、録画装置１００はテレビジョン放送番組に含まれる音楽の曲名などの楽曲情報を、インターネット等のネットワーク上の曲名検索サーバから取得するが、録画装置１００の制御部１１０が楽曲情報を判別して取得するように構成してもよい。この場合、例えば、ＲＯＭ１０４、ＲＡＭ１０５あるいはＩ／Ｏ１０８に接続されたメモリカード等に予め楽曲情報を記憶し、楽曲情報取得部２０３はこの予め記憶した楽曲情報と音声断片データとをマッチングして最適な楽曲情報を取得すればよい。例えば、音声データの特定の波長成分を高速フーリエ変換して得られる波形やピッチ成分と、予め記憶され楽曲情報が対応づけられたサンプルの波形との相関に基づいて、楽曲情報を取得することができる。
【００９６】
上記実施形態では、プログラムがＲＯＭ１０４に予め記憶されているものとして説明した。しかし、情報処理装置１００を、装置の全部又は一部として動作させ、あるいは、上述の処理を実行させるためのプログラムを、メモリカード、ＣＤ−ＲＯＭ（Compact Disc Read-Only Memory）、ＤＶＤ（Digital Versatile Disk）、ＭＯ（Magneto Optical disk）などのコンピュータ読み取り可能な記録媒体に格納して配布し、これを別のコンピュータにインストールし、上述の手段として動作させ、あるいは、上述の工程を実行させてもよい。また、携帯電話機を使用したものとして説明したが、ＰＤＡ（Personal Digital Assistance）などの他の携帯端末に適用することも可能である。
【００９７】
さらに、インターネット上のサーバ装置が有するディスク装置等にプログラムを格納しておき、例えば、搬送波に重畳させて、コンピュータにダウンロード等するものとしてもよい。
【００９８】
以上のように、本発明によれば、録画データの中から所望のデータが記録された位置を簡単に取得して再生するために好適な録画装置、録画方法、及び、プログラムを提供することができる。
【図面の簡単な説明】
【００９９】
【図１】録画装置の構成を示す図である。
【図２】録画装置が実行する処理を説明する図である。
【図３】音声データの構成の例を示す図である。
【図４】楽曲リストに記憶される情報の例を示す図である。
【図５】録画リストに記憶される情報の例を示す図である。
【図６】（ａ）と（ｂ）はテレビ視聴アプリケーションの表示画面の例を示す図である。
【図７】（ａ）乃至（ｃ）はテレビ視聴アプリケーションの表示画面の例を示す図である。
【図８】楽曲・位置情報取得処理を説明するフローチャートである。
【図９】再生処理を説明するフローチャートである。
【図１０】音声データの構成の他の例を示す図である。
【符号の説明】
【０１００】
１００・・・録画装置、１０１・・・通信部、１０２・・・チューナ部、１０３・・・音声処理部、１０４・・・ＲＯＭ、１０５・・・ＲＡＭ、１０６・・・入力部、１０７・・・表示部、１０８・・・Ｉ／Ｏ、１０９・・・電源部、１１０・・・制御部、１２１・・・アンテナ、１２２・・・アンテナ、１２３・・・スピーカ、１２４・・・マイクロフォン、１２５・・・操作キー、１２６・・・ディスプレイ、２０１・・・受信部、２０２・・・録画部、２０３・・・楽曲情報取得部、２０４・・・位置情報取得部、２０５・・・記憶部、２０６・・・リスト出力部、２０７・・・入力受付部、２０８・・・再生部、２５１・・・楽曲リスト、２５２・・・録画リスト、６０１・・・テレビ表示領域、６０２・・・チャンネル操作領域、６０３・・・音量操作領域、６０４・・・録画操作領域、７０１・・・録画リスト表示領域、７０２・・・楽曲リスト表示領域、７０３・・・再生画面表示領域、７０４・・・再生時間表示領域、７０５・・・録画情報表示領域
【図１】
2007194909.tif 000003
【図２】
2007194909.tif 000004
【図３】
2007194909.tif 000005
【図４】
2007194909.tif 000006
【図５】
2007194909.tif 000007
【図６】
2007194909.tif 000008
【図７】
2007194909.tif 000009
【図８】
2007194909.tif 000010
【図９】
2007194909.tif 000011
【図１０】
2007194909.tif 000012